(57)【要約】【課題】扉を開閉する際に吊元の仕切パネルと扉縁の間にある蝶番の部分で仕切パネルと扉縁の間に指が挟まれることがないようにしたトイレブース、シャワーブース等に好適なブース用扉の開閉構造を提供すること。【解決手段】仕切パネルに蝶番を用いて開閉可能に設置された扉からなるブース用扉の開閉構造において、前記蝶番として背押し無し蝶番を用い、かつ、該背押し無し蝶番の回転軸筒が前記仕切パネルの端部面と前記扉の端部面の突き合わせ面に挟まれた領域内に位置するように、該蝶番の羽根が前記仕切パネルおよび前記扉に固定されて構成されていることを特徴とするブース用扉の開閉構造。【選択図】図１
2012112109.tif 000002
【特許請求の範囲】
【請求項１】
仕切パネルに蝶番を用いて開閉可能に設置された扉からなるブース用扉の開閉構造において、前記蝶番として背押し無し蝶番を用い、かつ、該背押し無し蝶番の回転軸筒が前記仕切パネルの端部面と前記扉の端部面の突き合わせ面に挟まれた領域内に位置するように、該蝶番の羽根が前記仕切パネルおよび前記扉に固定されて構成されていることを特徴とするブース用扉の開閉構造。
【請求項２】
前記仕切パネルの厚さが１０〜３０ｍｍであり、前記ブースが、トイレブースまたはシャワーブースであることを特徴とする請求項１記載のブース用扉の開閉構造。
【発明の詳細な説明】
【技術分野】
【０００１】
本発明はブース用扉の開閉構造に関する。さらに詳しくは、扉を開閉する際に吊元の仕切パネルと扉縁の間にある蝶番の部分で仕切パネルと扉縁の間に指が挟まれることがないようにしたトイレブース、シャワーブース等に好適なブース用扉の開閉構造に関する。
【背景技術】
【０００２】
従来、公共施設、商業施設、スポーツ施設等に設置されるトイレブース、シャワーブース等のブースの扉の開閉構造は、厚さが１０〜４５ｍｍの仕切パネルに蝶番を使用して、同様の厚さの扉を取付けたものが代表的なものである。
【０００３】
図２（ａ）〜（ｃ）は、その構造を不都合点とともに示して説明するものであり、仕切パネル１に扉２が蝶番により開閉可能に取付けられている。蝶番の取付け方は、図２（ａ）に示したように、仕切パネル１の端部面と扉２の端部面とを突き合わせ状態にしたときに、その外側に、背押し無し蝶番３の回転軸筒５が位置するようにして、蝶番３の羽根（仕切パネル側）４ａと、羽根（扉側）４ｂとが、それぞれ仕切パネル１と扉２にねじ止め（図示せず）により固定されている。
【０００４】
この開閉構造では、図２（ａ）に示した扉が閉じた状態では仕切パネルと扉の端部間に空隙ができることはないが、図２（ｂ）、図２（ｃ）に示したように、扉２を開けて（通常は、安全のために、ブース内部に向けて扉を押して開けるようにされている）、再び閉めるときに、仕切パネル１と扉２の端部間に空隙Ｓが生じ、扉２が閉まるにつれて空隙Ｓは狭まっていき、これが、図２（ｃ）にモデルを示したように、外にいる第三者の手指を挟んで怪我を負わせることがあった。
【０００５】
このような不都合を解消するために、いくつかの提案がなされており、例えば、仕切パネルと扉の端部面に長尺弾性部材を取付けて上記のような空隙が発生しないようにする提案（特許文献１）や、逆に２０〜５０ｍｍという大きな間隙を生ずるようにして手指がたとえ挟まれても怪我をしないようにした扉の取付け構造に関する提案（特許文献２）がされている。
【０００６】
しかし、特許文献１のものは、仕切パネルと扉の端部面に長尺の弾性部材を取付ける作業が必要であるという煩雑さがあり、また長尺弾性部材は外れることがあり、そのときには所期の効果を発揮できないという不都合があった。また、特許文献２に提案のものは、蝶番の構造が複雑な分、耐久性や強度に弱く、乱暴な開け閉めが繰返されたり、大きな力が繰り返して与えられた場合などは破壊しやすいという不都合があった。
【０００７】
また、図２に示したような従来の開閉構造では、その蝶番の構造上、内側に向けて扉を開けられないことから、例えば、トイレブース内で意識を失った人が扉の内側の面にもたれかかっている場合など、扉を、外側から引いて（外側に）開けることができないため、そのような緊急事態が生じたときなどは、扉を破壊して内部の人を救出することなどが行われていた。すなわち、外側に向けて扉を開けることが、臨機応変に可能な構造であることが求められるシーンもあった。
【０００８】
また、扉の上下小口に内蔵するようにしたヒンジも提案されている（特許文献３）。この提案のものは、軸芯が扉パネルの中心線上に位置するため、扉ヒンジ固定側のエッジ形状を工夫すれば指を挟むという事故の発生を防止でき、また、外側に向けて開閉することができるものである。しかし、扉パネル内にヒンジが内蔵されるものであることから、扉厚みが３０ｍｍ〜４５ｍｍは必要になり、仮に扉厚みが３０ｍｍ以下でも内蔵できるヒンジを構成できても、扉上下小口で扉を支持するため、扉のパネル剛性が不足し、開閉動作時の衝撃で扉が振動するなどの問題が発生するものであった。
【先行技術文献】
【特許文献】
【０００９】
【特許文献１】特開２００７−８５０９７号公報
【特許文献２】特開平１０−１８４１８２号公報
【特許文献３】特開２０１０−１３６８３３号公報
【発明の概要】
【発明が解決しようとする課題】
【００１０】
上述したような点に鑑み、本発明の目的は、扉を開閉する際に吊元の仕切パネルと扉縁の間にある蝶番の部分で仕切パネルと扉縁の間に指が挟まれることがないようにした、また、緊急事態が生じたときなどは、扉を、外側から引いて（外側に）開けることも可能な、トイレブース、シャワーブース等に好適なブース用扉の開閉構造を提供することにある。また、そのようなブース用扉の開閉構造で、パネル厚みを１０〜３０ｍｍというレベルにまで薄くできるとともに、扉の剛性向上にも寄与するブース用扉の開閉構造を提供することにある。
【課題を解決するための手段】
【００１１】
上述した目的を達成する本発明のブース用扉の開閉構造は、以下の（１）の構成を有する。
（１）仕切パネルに蝶番を用いて開閉可能に設置された扉からなるブース用扉の開閉構造において、前記蝶番として背押し無し蝶番を用い、かつ、該背押し無し蝶番の回転軸筒が前記仕切パネルの端部面と前記扉の端部面の突き合わせ面に挟まれた領域内に位置するように、該蝶番の羽根が前記仕切パネルおよび前記扉に固定されて構成されていることを特徴とするブース用扉の開閉構造。
【００１２】
また、かかる本発明のブース用扉の開閉構造において、好ましくは、以下の（２）の構成を有することである。
（２）前記仕切パネルの厚さが１０〜３０ｍｍであり、前記ブースが、トイレブースまたはシャワーブースであることを特徴とする上記（１）記載のブース用扉の開閉構造。
【発明の効果】
【００１３】
請求項１にかかる本発明のブース用扉の開閉構造によれば、扉を開閉する際に吊元の仕切パネルと扉縁の間にある蝶番の部分で仕切パネルと扉縁の間に指が挟まれることがないブース用扉の開閉構造が提供される。また、蝶番の構造上、扉を外側に向けて開けることができるので、緊急時などで外側にドアを開けて必要な措置をとりたいときなどでも対応することができる。
【００１４】
本発明の扉の開閉構造によれば、扉を支持する構造が扉面にあることによって、特許文献３にあるような上下小口に設ける場合よりも支持スパンが短くなり、扉の剛性不足を補うことができる。また、一般に、蝶番は上下２箇所で扉を保持するが、上下３箇所に増やすことによって扉の剛性不足を補うことも簡単にできる。
【００１５】
請求項２にかかる本発明のブース用扉の開閉構造によれば、特に、仕切パネルの厚さが１０〜３０ｍｍという比較的厚みが小さいトイレブース、シャワーブース等に好適なブース用扉の開閉構造が提供される。
【図面の簡単な説明】
【００１６】
【図１】（ａ）、（ｂ）は、本発明のブース用扉の開閉構造を説明する概略平面図である。
【図２】（ａ）〜（ｃ）は、従来のブース用扉の開閉構造とその問題点を説明する概略平面図である。
【図３】（ａ）は背押し無し蝶番を説明するモデル図であり、（ｂ）は背押し有り蝶番を説明するモデル図である。
【図４】本発明のブース用扉の開閉構造を構成した際に、仕切パネルの端部と扉の端部間であって、かつ蝶番が存在する箇所以外で生ずる隙間に対して、目隠しをする措置の１例として使用される隙間カバーを示した断面図である。
【発明を実施するための形態】
【００１７】
以下、図面などに基づいて、更に詳しく本発明のブース用扉の開閉構造について説明する。
【００１８】
本発明のブース用扉の開閉構造は、図１（ａ）に示したように、蝶番として背押し無し蝶番３を用い、かつ、該背押し無し蝶番３の回転軸筒５が、仕切パネル１の端部面と扉２の端部面の突き合わせ面に挟まれた領域内に位置するように、蝶番３の羽根４ａ、４ｂが仕切パネル１および扉２に固定されて構成されていることを特徴とする。このように構成することにより、図１（ｂ）に示したように、図２（ｂ）、（ｃ）において示したような空隙Ｓが発生することがなくなり、手指が入る余地がなくなり手指が挟まれることがなくなる。
【００１９】
本発明のブース用扉の開閉構造は、回転軸筒５の径が１０〜３０ｍｍ程度の場合でも構成でき、その結果、特に、仕切パネルの厚さが１０〜３０ｍｍであって、ブースがトイレブースまたはシャワーブースであるときなどでも有効に構成できる。
【００２０】
図１に示した蝶番を使用して、本発明のブース用扉の開閉構造を構成すると、仕切パネル１の端部と扉２の端部間には、蝶番を設置した以外の箇所で、回転軸筒５の外径よりも大きな間隔で隙間が生ずることになる。したがって、ブースがトイレブースまたはシャワーブースであるときなどは、その隙間には、図４に示したように、蝶番の回転軸筒の回転軸と筒形状軸芯を同一にした隙間カバーや扉用エッジ材７を用いて目隠しをする措置をとるのがよい。このような隙間カバーやエッジ材は、アルミニウム製やプラスチックなどを押出成型したものがある。図４において、８は、蝶番の回転軸筒の回転軸と筒形状軸芯を同一にした扉用エッジ材７の外周形状に合わせた凹面形状を呈する仕切パネル（枠）用エッジ材である。いずれのエッジ枠もボルトで固定される。
【００２１】
また、本発明では、図１に示したように、背押し無し構造の蝶番を使用しかつ蝶番の回転軸筒を前記した領域内に位置するようにして取付けているので、通常、扉２は手前の方（図１では下の方。ブースの外側の方）に向けて開くこともできるようになる。したがって、特に、扉を手前（ブースの外側）に引いて開けたいときなど（例えば、ブース内に人がいて、障害になって内側に向けて開けることができない等の、緊急時など）に対応して、所定の操作をすることにより、外側に向けて開けることが可能になるように構成することができる。図２（ａ）に示した従来の取付け方では、仕切パネル１の端部の面と扉の端部２が干渉するので、扉２を手前の方（図２で下の方）に向けて開くことができず、例えば、トイレブース内部で扉の内側の面に意識を失った人がもたれている場合など、構造上内側だけにしか扉を開けられないことから、直ちに扉を開けて内部の人を救出することができない場合があった。これに対して、本発明のブース用扉の開閉構造では、外側に向けて開けるという操作を特別にすることができるようにして、そのような問題を解決できる。ただし、外側からも外側に向けて扉を開けられるようにすることは、トイレブースなどでは不都合な面もあるので、例えば、本発明者らが先に提案した特開平１０−２８０８１３号公報に記載されている如き、トイレブース用扉枠の内部に移動可能な戸当たり部を設けた扉枠構造にするなど、特別な工夫を更にすることが重要である。
【００２２】
一般には、本発明のブース用扉の開閉構造では、図１（ａ）に示したブース内側方向（図１（ｂ）で、上方向でありαで示した角度）には、好ましくはα＝９０〜１４０°程度、特に好ましくは、α＝９０°〜１２０°の角度で、ブース外側方向（図１（ｂ）で、下方向でありβで示した角度）にも好ましくはβ＝９０〜１４０°程度、特に好ましくはβ＝９０°〜１２０°の角度で開けることができるようにできる。全体では、図１（ｂ）のαとβを合計した角度で１８０°〜２８０°程度は開けることができるようにできる。
【００２３】
本発明において使用できる背押し無し蝶番とは、図３（ａ）に示したような蝶番の羽根４ａ、４ｂを水平になるように開いたときにその羽根の裏面がフラットになる蝶番をいい、図３（ｂ）に示したように、それがフラットにならずに回転軸筒５が「背押し」と呼ばれる分の高さで凸構造を呈する背押し蝶番は、本発明のような取付け方をしたとしても本発明の所期の効果を得ることは難しい。
【００２４】
本発明者らの知見によれば、図１に示したような、回転軸筒５近くで屈曲部６を有した形状の羽根を有した蝶番を用いることが最も好適である。このような蝶番自体は、図２に示した使い方のものとして市販されているものを使用して、取付け方だけを変えて使用して構わない。
【符号の説明】
【００２５】
１：仕切パネル
２：扉
３：蝶番
４ａ、４ｂ：蝶番の羽根
５：回転軸筒
６：羽根の屈曲部
７：蝶番の回転軸筒の回転軸と筒形状軸芯を同一にした扉用エッジ材
８：蝶番の回転軸筒の回転軸と筒形状軸芯を同一にした扉用エッジ材７の外周形状に合わせた凹面形状を呈する仕切パネル（枠）用エッジ材
Ｓ：空隙
【図１】
2012112109.tif 000003
【図２】
2012112109.tif 000004
【図３】
2012112109.tif 000005
【図４】
2012112109.tif 000006